(57)【要約】【課題】天井材間の連結作業を容易にすることができる上、コストメリットおよび美観形成にも優れた天井材支持装置および天井の施工方法を提供すること。【解決手段】天井１側に固定され、隣り合う天井材４，４ａを支持するための天井材支持装置Ａであって、隣り合う天井材４，４ａの一方の天井材４に設けられた溝状のサネ部５に差し込まれる第１支持部６と、他方の天井材４ａに設けられた溝状のサネ部５ａに差し込まれる第２支持部６ａと、天井１側に固定する固定部Ｋとを有する構造とした。【選択図】      図７
2004190293.tif 000002
【特許請求の範囲】
【請求項１】
天井側に固定され、隣り合う天井材を支持するための天井材支持装置であって、
隣り合う前記天井材の一方の天井材に設けられた溝状の第１サネ部に差し込まれる第１支持部と、
他方の天井材に設けられた溝状の第２サネ部に差し込まれる第２支持部と、
前記天井側に固定する固定部と、
を有することを特徴とする天井材支持装置。
【請求項２】
請求項１記載の天井材支持装置において、前記第１支持部と前記第２支持部は、前記隣り合う前記第１サネ部および前記第２サネ部間に差し渡される目地板と、金属板により形成され、前記目地板を保持可能に屈曲させた屈曲部とで構成され、前記固定部は前記屈曲部と一体に形成された金属板で構成されていることを特徴とする天井材支持装置。
【請求項３】
請求項１または２記載の天井材支持装置において、前記天井材は第１の間隔をあけて配置され、前記前記第１サネ部または前記第２サネ部は前記天井材の下面から第２の間隔をおいて設けられていることを特徴とする天井材支持装置。
【請求項４】
請求項１記載の天井材支持装置を用いた天井の施工方法であって、
天井材支持装置の固定部を天井側に固定する工程と、
目地板を前記天井材支持装置の下部に差し込む工程と、
所定間隔をおいて配置した第１天井材の第１サネ部に、前記天井材支持装置の第１支持部を差し込む工程と、
前記目地板に前記天井材支持装置の第２支持部に設けられる屈曲部を保持可能に屈曲する工程と、
第２天井材の第２サネ部に、前記天井材支持装置の前記第２支持部を差し込む工程と、
を有することを特徴とする天井の施工方法。
【請求項５】
請求項４記載の天井材支持装置を用いた天井の施工方法において、前記天井材支持装置として、前記第１天井材および前記第２天井材の長さ方向の両端部と、前記第１天井材および前記第２天井材の上部に前記野縁材が配置される部分に、前記天井材支持装置を約９１０ｍｍピッチ以内の間隔をあけて固定することを特徴とする天井の施工方法。
【発明の詳細な説明】
【０００１】
【発明の属する技術分野】
本発明は、天井材支持装置および天井の施工方法に関し、特に天井材同士を容易に接合可能な天井材支持装置および天井の施工方法に関する。
【０００２】
【背景の技術】
従来、建物に設けられる天井の施工方法として、吊木受けに吊木の上端部を取り付け、この吊木の下端部に野縁を取り付け、野縁に天井下地材および天井材を取り付けるという施工方法が広く知られている（例えば、特許文献１参照。）。また、和室等に設けられる天井は、複数の天井材を所定間隔あけて配置し、その間隔部分に段差をつけて目地板を配置して塞ぐ形態とすることで、平面的な天井構造よりも立体感が生まれ、美観的にも優れた天井を形成することができる。
【０００３】
【特許文献１】
特開２００１−２８８８４３
【０００４】
【発明が解決しようとする課題】
しかしながら、上記の施工方法は緻密で熟練した技能を要求される現場合わせ作業が多く、極めて煩雑となってしまう問題があった。特に和室等の天井を施工する場合は、作業工程が複雑なことから寸法誤差が生じやすい恐れがあった。また、上述した理由から工期の短縮を図ることが難しくなり、施工コストの上昇を招いてしまう恐れもあった。したがって、頓雑な天井構造を施工する際も容易に施工可能で美観形成にも配慮することが望ましい。
【０００５】
本発明は、天井材間の連結作業を容易にすることができる上、コストメリットおよび美観形成にも優れた天井材支持装置および天井の施工方法を提供することにある。
【０００６】
【課題を解決するための手段】
本発明は、天井側に固定され、隣り合う天井材を支持するための天井材支持装置であって、隣り合う天井材の一方の天井材に設けられた溝状の第１サネ部に差し込まれる第１支持部と、他方の天井材に設けられた溝状の第２サネ部に差し込まれる第２支持部と、天井側に固定する固定部と、を有する構造とした。
【０００７】
このような本発明によれば、隣り合う天井材同士を連結する際の施工性を向上させ、作業工程の簡略化を図ることができ、コストメリットに優れた天井構造を形成することが可能になる。すなわち、各天井材に設けられた第１サネ部または、第２サネ部内に天井材支持装置の第１支持部および第２支持部をそれぞれ差し込み、固定部を天井側に固定することで、建物の天井を容易に形成することができるため、従来のような頓雑な施工手順を解消することができ、工期の短縮およびコストダウンを図ることができる。
【０００８】
前記第１支持部と第２支持部は、隣り合う第１サネ部および第２サネ部間に差し渡される目地板と、金属板により形成され、目地板を保持可能に屈曲させた屈曲部とで構成され、固定部は屈曲部と一体に形成された金属板で構成されていることが望ましい。このように構成した場合、隣り合う天井材の構造を強固にすることができ、天井支持装置と目地板との隙間をなくすことが可能になる。すなわち、第１支持部と第２支持部は目地板と金属板で形成されているので、木材等の材質と比較しても強固な構造となる上、目地板と第１支持部および第２支持部は、湾曲して保持されることで更に強固な構造を形成することができる。
【０００９】
また、上述した湾曲部は目地板との隙間をなくすことができ、固定部と一体化されていることで、工場等で天井支持装置を加工する際の作業の簡易化を図ることが可能となる。
【００１０】
前記天井材は第１の間隔をあけて配置され、第１サネ部または第２サネ部は天井材の下面から第２の間隔をおいて設けられていることが望ましい。このように形成した場合、美観的に優れ、また天井板の厚みを感じることができる豪華な天井構造を形成することが可能になる。すなわち、天井を形成する複数の天井材同士に目地板および天井支持装置が差し込める第１の間隔をあけ、目地板および天井支持装置が差し込まれる第１サネ部（第２サネ部）は、天井材の下面より上方（第２の間隔）に設ける。したがって、外観上、特に下方から見た際の第１の間隔は、立体的な凹凸感を醸し出し、第２の間隔が板の厚みを形成することができる。
【００１１】
前期天井材支持装置を用いた天井の施工方法であって、天井材支持装置の固定部を天井側に固定する工程と、目地板を天井材支持装置の下部に差し込む工程と、所定間隔をおいて配置した第１天井材の第１サネ部に、天井材支持装置の第１支持部を差し込む工程と、目地板に天井材支持装置の第２支持部に設けられる屈曲部を保持可能に屈曲する工程と、第２天井材の第２サネ部に、天井材支持装置の第２支持部を差し込む工程と、を有する天井の施工方法とした。
【００１２】
このように施工した場合、施工方法を簡便かつ容易にすることができる。すなわち、従来は天井材および目地板等を固定する箇所の正確な寸法を測り、熟練した技能者が施工する例が多かったが、天井支持装置を使用して上述した施工方法とすることで、比較的経験の浅い技能者にも容易かつ寸法誤差が少ない施工方法とすることができる。また、天井材支持装置が目地板とサネ部との隙間をなくすことで、天井のガタツキを最小限に抑えることが可能になる。
【００１３】
前記天井材支持装置として、第１天井材および第２天井材の長さ方向の両端部と、第１天井材および第２天井材の上部に野縁材が配置される部分に、天井材支持装置を約９１０ｍｍピッチ以内の間隔をあけて差し込むことが望ましい。このように施工した場合、天井材支持装置の配置箇所が明確になることで、施工を容易にすることができる。また、９１０ｍｍピッチ以内の間隔をあけて施工することで、第１天井材および第２天井材と、目地板をより強固に固定することが可能になる。
【００１４】
【発明の実施の形態】
以下、本発明の実施の形態について、図面を参照して説明する。
図１は本発明に係る天井および天井材支持金具の斜視図である。
この実施の形態では、本発明を住宅に適用した例を示す。
【００１５】
図１は、住宅内に設けられた天井１および天井支持金具Ａを示している。天井１は、天井側に固定された野縁材２の下側に石膏ボード等で形成された天井下地材３が固定され、その下側に天井材４が固定されている。天井材４の側面部は、溝状に切り欠かれたサネ部５（サネ部５ａ）が設けられている。
【００１６】
天井材支持金具Ａは断面凸状の金属製で形成され、サネ部５（サネ部５ａ）に差し込まれる支持部６，６ａと、天井下地材３および野縁材２に固定するためのビス穴７を備えた固定部Ｋとで形成されている。また、支持部６ａの両端には折り曲げ可能な屈曲部８が設けられている。
【００１７】
図２〜図７に天井１の施工方法を示す。図２，４，６は天井１および天井支持金具Ａを示す斜視図であり、図３，５，７は天井１および天井支持金具Ａを示す断面図である。これらの図において、天井支持金具Ａは天井材４の長さ方向の両端部、および天井材４を挟んで野縁材２が配置されている下側部分に約９１０ｍｍピッチ以内の間隔あけ、支持部６をサネ部５（サネ部５ａ）に差し込む（図２）。次に、天井支持金具Ａのビス穴７に石膏ボードビス９を天井下地材３および野縁材２までを連結して固定する（図３）。このように施工することで、天井材支持金具Ａの配置箇所が明確になり、施工を容易にすることができる。また、約９１０ｍｍピッチ以内の間隔をあけていることで、天井材４と目地板１０をより強固に固定することが可能になる。
【００１８】
次に、目地板１０を天井支持金具Ａの支持部６，６ａの下部およびサネ部５（サネ部５ａ）内に差し込む（図４，５）。この際、目地板１０は天井材４の下端部１１から所定の間隔をあけて配置されている。つまり天井材４に設けられたサネ部５は、天井材４の側面のほぼ真ん中に形成されていることになる。したがって、天井１に立体感が生まれることにより美観的に優れ、また天井材４そのものの厚みを感じさせることができる豪華な天井構造を形成可能になる。
【００１９】
次に、目地板１０に支持部６ａに設けられた屈曲部８を外側から巻き込んで固定する（図６，７）。つまり、隣り合うサネ部５，５ａ間に差し渡される目地板１０と、支持部６，６ａにより形成され、目地板１０を保持可能に屈曲させた屈曲部８とで構成され、固定部Ｋは屈曲部８と一体に形成されていることになる。
【００２０】
したがって、隣り合う天井材４，４ａ間を強固にすることができ、天井支持金具Ａと目地板１０との隙間をなくすことが可能になる。また、天井材４，４ａ間に目地板１０および天井支持金具Ａが差し込める間隔があいているため、外観上、特に下方から見た際は立体的な凹凸感を醸し出された天井構造を形成することが可能になる。
【００２１】
次に、天井材４ａに設けられたサネ部５ａに目地板１０を差し込む。これらの手順を繰り返すことで天井１を形成する。このように固定部Ｋを石膏ボードビス９で天井側に固定し、各天井材４，４ａに設けられたサネ部５，５ａ内に天井材支持金具Ａの支持部６，６ａとその下部に屈曲部８で保持された目地板１０を差し込むことで、天井１を容易に形成することができるため、従来のような頓雑な施工手順を解消することができ、工期の短縮およびコストダウンを図ることができる。また、天井材支持金具Ａを使用することで、隣り合う天井材４，４ａと目地板１０を容易に連結できるので、施工性の向上および作業工程の簡略化も図ることができる。
【００２２】
この実施形態では上述した施工方法を例としてあげたが、他の方法とすることもできる。例えば、天井支持金具Ａの固定部Ｋを天井下地材３および野縁材２に固定した後、目地板１０をサネ部５ａ差し込み、支持部６ａの屈曲部８を巻き込む。次に目地板１０の上に支持部６をサネ部５に差し込むこともできる。つまり、施工順序を変更しても支持部６は目地板１０を上から抑えるような形態となり、支持部６ａは目地板１０を下から支えるような形態となっていれば同様の効果が得られることになる。
【００２３】
天井支持金具Ａの固定部Ｋは、金属製で形成されているが他の材質とすることもできる。例えば、プラスチック製およびゴム製とすることもできる。天井支持金具Ａを工場等で加工成形する際の効率およびコスト、また重量に最も適した材質を選択することが可能である。ただし、金属製にすることで支持部６，６ａおよび屈曲部８と一体的に加工可能なため生産効率が向上することになる。
【００２４】
この実施形態では、天井支持金具Ａは天井下地材３および野縁材２と固定する際、石膏ボードビス９を使用しているが、天井構造に対応して適切な固定部材（ビス等）を用いることができる。例えば、天井構造が鋼製野縁天井材直貼りの場合はテクスビスを使用し、木下地天井材直貼りおよび木下地＋石膏ボード＋天井材の場合は、木ネジを使用することができる。
【００２５】
【発明の効果】
以上のように、本発明に係る天井材支持装置および天井の施工方法によれば、天井材間の連結作業を容易にすることができる上、コストメリットおよび美観形成にも優れた天井材支持装置および天井の施工方法を提供することにある。
【図面の簡単な説明】
【図１】本発明の実施形態に係る天井および天井材支持金具を示す斜視図である。
【図２】本発明の実施形態に係る天井および天井材支持金具を示す斜視図である。
【図３】本発明の実施形態に係る天井および天井材支持金具を示す断面図である。
【図４】本発明の実施形態に係る天井および天井材支持金具を示す斜視図である。
【図５】本発明の実施形態に係る天井および天井材支持金具を示す断面図である。
【図６】本発明の実施形態に係る天井および天井材支持金具を示す斜視図である。
【図７】本発明の実施形態に係る天井および天井材支持金具を示す断面図である。
【符号の説明】
１        天井
２        野縁材
３        天井下地材
４，４ａ  天井材
５，５ａ  サネ部
６，６ａ  支持部
７        ビス穴
８        屈曲部
９        石膏ボードビス
１０      目地材
１１      下端部
Ａ        天井材支持金具
Ｋ        固定部
【図１】
2004190293.tif 000003
【図２】
2004190293.tif 000004
【図３】
2004190293.tif 000005
【図４】
2004190293.tif 000006
【図５】
2004190293.tif 000007
【図６】
2004190293.tif 000008
【図７】
2004190293.tif 000009